(57)【要約】      （修正有）【課題】スクラップアンドビルド方式を採用し、一枚のフレームに付き七変化が可能と成る様にシステム化する事で、枚数を七分の一に減らす事が可能な女性用ブラジャーを提供する。【解決手段】左右のカップ部２を有するブラジャー１は、カップ部に伸縮性を有した布製又はレース等で縫製されたフレーム３により構成され、フレームの始点、交差点、及び終点には、飾り穴５を有し装飾金具やセラミックスねじ等により飾り穴に刺繍が施されたパーツを固定する。【選択図】図１
0003210295.tif 000002
【実用新案登録請求の範囲】
【請求項１】
左右のカップ部を有するブラジャーにおいて、該カップ部も同様に、伸縮性を有する布製又はレース等で縫製されたフレームで構成され、該フレームの始点、交差点や終点には飾り穴を有し、装飾金具やセラミックスねじ等を該飾り穴に通して刺繍等を施したパーツを固定し、又カップの最上部に設けるレースにも飾り穴を有し、ヘッドに宝石類を冠したセラミックスねじを該飾り穴に通して胸元を煌びやかにする事が可能と成るのを特徴とする女性用ブラジャー。
【請求項２】
前記カップ内のフレームについては、動物、鳥、昆虫、魚、植物、抽象、幾何、人造物、自然現象文様などの文様でフレームが構成され、ブラジャー一枚に付き七変化が可能と成るフレーム構造にして、ブラジャーの枚数を七分の一に減らす事が可能と成るのを特徴とする請求項１記載の女性用ブラジャー。
【考案の詳細な説明】
【技術分野】
【０００１】本考案は、両カップが布製又はレース製等のフレーム構造からなるブラジャーに関する。
【背景技術】
【０００２】今日迄女性は、一枚単位で提供される縫製された完成品のブラジャーを購入し着用する。
【考案の概要】
【考案が解決しようとする課題】
【０００３】女性客はブラジャーを購入する毎にその枚数が増える事になる。一方、提供者も全ての商品が完売する事はなく最終的には在庫処分品となりバーゲンセールとなる。今後もこの形態を繰り返すのであれば当然の如く処分品が増え悪循環を継続する事になるのだが、さりとてｏｎｄｅｍａｎｄ方式にすれば処分問題は解決されるのであるが、被服業界は非常に経営が不安定になり存続する事は極めて困難になると思われる。【０００４】特許文献に、カップ部分の表面を取替えて、何通りものデザインが楽しめる様にした物が特許文献１に開示されている。
【特許文献１】特開２０１０−１４４３１３号公報
【課題を解決するための手段】
【０００５】今日迄継続されているブラジャーに対する発想は、一枚単位での縫製により完成された商品の提供である。之に対して本考案は顧客最優先とした理念にもとづき、両カップの布やレース等のフレームに有する飾り穴に装飾金具等を通しパーツを固定して、両カップを七変化さすという発想のブラジャーとしている。例えば、図１のカップのフレームは伸縮性を有する布製を使用したやや中心から拡がる蜘蛛の巣状とするフレームである。次に図２は魚鱗状としたフレーム構造であるが、中心が無く全て同一形状のフレームである。この様にフレームは多岐多様に亘り揃えられる。又、両カップの最上部に設けるレースには、頂頭部に宝石類を冠したセラミックスねじを通し、胸元のレースを宝石で飾り煌びやかにする事が出来る様に飾り穴を有する。本考案のブラジャーのカップは伸縮性を有する布やレース等を使用したフレームとし、前記フレームに刺繍等を施したパーツを使用して装飾金具やセラミックスねじにより固定するというスクラップアンドビルド方式を採用した事によりブラジャーの枚数を七分の一に減少する事を可能にした。
【考案の効果】
【０００６】女性用下着に関して、提供者が主役となり女性客は従の立場に立たされ商品の中から購入する方式が今日に至る為に、売れ残り品を膨大に抱える事になる。しかしながら今回漸く顧客を最優先にした発想の転換をする事により女性用ブラジャーに関し、お気に入りの刺繍等を施したパーツの選択が出来てオリジナルなブラジャーの創作が可能と成るシステムを採用する事で在庫は減少し金銭面や整理面に対する効果も期待され、旅行時に携行するスーツケースには、パーツを入れるだけなので嵩張らない利点も重宝される。
【図面の簡単な説明】
【０００７】
【図１】本考案に係るブラジャーのフレーム構造の一例（蜘蛛の巣状）を示す。
【図２】本考案に係るブラジャーのフレーム構造の二例（魚の鱗状）を示す。
【図３】本考案に係るブラジャーのパーツを使用した実施例１を示す。
【図４】本考案に係るブラジャーのパーツを使用した実施例２を示す。
【図５】抽象文様（角、菱形）フレームに設ける飾り穴の拡大図を示す。
【図６】フレームに設ける飾り穴に金具を通しパーツを固定した状態の断面図を示す。
【考案を実施するための形態】
【０００８】  図１に示す様にブラジャー１のフレーム３の起点や交差点や終点には、中の大きさの飾り穴５を有し、装飾金具９や頂頭部に宝石類を冠したセラミックスねじ９を該飾り穴５に通しパーツ８を固定する。尚、蜘蛛の巣状フレーム３の飾り穴４はパーツ８に有し、飾り穴の大きさは大である。中心から拡がる様なフレーム３には、一点だけ飾り穴４を有するが、魚鱗の様に同一のフレームの場合は飾り穴５となる。飾り穴６はレース専用で小である。飾り穴４・５は裏地７を必要とする。尚、図１の蜘蛛の巣状のフレーム３は昆虫文様の中の一例であり、孔雀の羽状、鳥の羽状、ヒヨウ柄、魚鱗、熱帯魚、蝶等があり、他に植物文様（唐草）、人造物文様、抽象文様（角、菱）、自然現象文様（波、流水）等のフレーム３を多様に有するが、例えば孔雀のフレーム３には、孔雀専用のパーツ８の限定使用となる。ブラジャー１一枚に付き、七変化が可能と成る様に企画しデザインするのでブラジャー１の枚数を七分の一に減らせる事が可能となる。このブラの最大の特徴は、四季に応じてパーツを七変化さす事で年中着用が可能にしている事である。夏期にはフレーム３の状態で着用されるか、図３に示す様に、カップ部２のフレーム３の中心部だけにパーツ８を使用するか、薄手の生地や半透明のパーツ８を使用して、夏らしい涼を演出する事が可能となる。又、冬期には、図４の様にカップ部２のフレームを厚手の生地にて覆う。そして春秋期にも相応しい中間生地を使用してデザインされる。
【符号の説明】
【０００９】  １：ブラジャー  ２：カップ部  ３：フレーム  ４：飾り穴（大）  ５：飾り穴（中）  ６：飾り穴（小）  ７：裏地    ８：パーツ    ９：装飾金具・セラミックスねじ
【図１】
0003210295.tif 000003
【図２】
0003210295.tif 000004
【図３】
0003210295.tif 000005
【図４】
0003210295.tif 000006
【図５】
0003210295.tif 000007
【図６】
0003210295.tif 000008
【手続補正書】
【提出日】平成29年2月9日(2017.2.9)
【手続補正１】
【補正対象書類名】実用新案登録請求の範囲
【補正対象項目名】全文
【補正方法】変更
【補正の内容】
【実用新案登録請求の範囲】
【請求項１】
左右のカップ部を有するブラジャーにおいて、該カップ部は、紐状の布やレースにより創作されるフレームを有し、該フレームの始点、交差点、終点に飾り穴を設けて、装飾金具やセラミックス螺子を飾り穴に通して、刺繍が施されたパーツ１枚又は２枚のパーツを固定させ、そしてカップ部の最上部に設けるレースにも飾り穴を設け、頂部に宝石を冠したセラミックス螺子や装飾金具を該飾り穴に通し女性の胸元が煌びやかに成るのを特徴とする女性用ブラジャー。
【請求項２】
前記カップ部のフレームは、動物、鳥、昆虫、魚、植物、抽象、人造物、幾何、自然文様のうちの少なくとも１つの文様を有する事を特徴とする請求項１記載の女性用ブラジャー。